(57)【要約】【課題】ばね長を長くして耐久性を向上させると共に電気経路長を短くするためのコンタクト同士の接触に際し接触信頼性を高くすることが可能なコンタクトを有する、回路基板と相手接続部材とを相互接続する電気コネクタを提供する。【解決手段】電気コネクタ１は、絶縁性のハウジング１０と、ハウジング１０に取り付けられ、回路基板ＰＣＢに接続されるとともに相手接続部材Ｂに接触するコンタクト２０とを具備している。コンタクト２０は、金属板を打ち抜き及び曲げ加工することにより形成されると共に、２個の正湾曲部２６，２８と２個の正湾曲部２６，２８を連結する１個の逆湾曲部２７とを有している。相手接続部材Ｂがコンタクト２０に接触すると、逆湾曲部２７の両端部２７ａ，２７ｂのロール面同士が接触する。【選択図】      図６
2004207165.tif 000002
【特許請求の範囲】
【請求項１】
絶縁性のハウジングと、該ハウジングに取り付けられ、回路基板に接続されるとともに相手接続部材に接触するコンタクトとを具備した電気コネクタにおいて、
前記コンタクトは、金属板を打ち抜き及び曲げ加工することにより形成されると共に、２個の正湾曲部と該２個の正湾曲部を連結する１個の逆湾曲部とを有し、前記相手接続部材が前記コンタクトに接触した際に、前記逆湾曲部の両端部のロール面同士が接触することを特徴とする電気コネクタ。
【発明の詳細な説明】
【０００１】
【発明の属する技術分野】
本発明は、電気コネクタ、特に、充電器等側の回路基板と携帯電話機等側に設けられたバッテリパック等の相手接続部材とを電気的に相互接続するための電力用コネクタに好適な電気コネクタに関する。
【０００２】
【従来の技術】
一般に、携帯電話機側に設けられたバッテリパックを充電するに際しては、充電器に内蔵された回路基板に実装された電力用コネクタに前記バッテリパックを接続することにより行う。このバッテリパックと電力用コネクタとの接続は、バッテリパックに設けられた導体部と電力用コネクタに設けられたコンタクトとを接触させることにより、達成されるようになっている。
【０００３】
一方、ＩＣチップキャリヤ等の電子デバイスと回路基板との接続に適した電気コネクタとして、図１１に示すものが知られている（特開平６−２０８８７６号公報参照）。
この電気コネクタ１００は、絶縁ハウジング１１０と、この絶縁ハウジング１１０に取り付けられた複数の接触子１２０とを備えている。絶縁ハウジング１１０には、隣接する隔壁１１１によって形成されるスリット１１２と、スリット１１２に連通する固定孔１１３とが形成されている。
【０００４】
また、各接触子１２０は、固定孔１１３に圧入固定される取付板部１２１を備え、金属板を打ち抜き加工することによって形成されている。取付板部１２１の上端には略Ｕ字状部１２２が固定され、下端には基板取付脚部１２３が固定されている。基板取付脚部１２３は、図示しない回路基板に半田接続される。また、略Ｕ字状部１２２は、取付板部１２１が固定孔１１３に圧入固定された状態で、スリット１１２に収容されるようになっている。そして、略Ｕ字状部１２２の固定端と自由端には、夫々対向する突起１２４，１２５が形成されている。また、略Ｕ字状部１２２の自由端には、ＩＣチップキャリヤ等のパッドと接触する接触部１２６が形成されている。
【０００５】
そして、ＩＣチップキャリヤ等のパッドが接触部１２６の頂部に接触して略Ｕ字状部１２２が押圧されると、略Ｕ字状部１２２の自由端に形成された突起１２５が図７の二点鎖線に示すように下方に撓み、この突起１２５が略Ｕ字状部１２２の固定端に形成された突起１２４に接触することになる。これにより、突起１２４，１２５同士が短絡し、略Ｕ字状部１２２の自由端から固定端に至るまでの経路が短経路で電気的に接続され、接触子１２０における電気経路長、すなわち、ＩＣチップキャリヤ等のパッドが接触する接触部１２６の頂部から基板取付脚部１２３のうち回路基板に接続される部分に至るまでの長さが短くなり、信号を高速で伝送できることになる。
【０００６】
【発明が解決しようとする課題】
ところで、充電器に内蔵された電力用コネクタにあっても、バッテリパックと電力用コネクタを接続する際に、電力用コネクタに設けられたコンタクトにおける電気経路長、すなわち、バッテリパックの導体部が接触する部分から回路基板に接続される部分に至るまでの長さを短くし、コンタクトにおける導体抵抗値を小さくすることが好ましい。
【０００７】
従って、図１１に示された接触子１２０を、前記充電器に内蔵された電力用コネクタに設けられたコンタクトに適用し、電気経路長を短くすることが好ましい。
しかしながら、図１１に示す接触子１２０にあっては、略Ｕ字状部１２２の自由端に形成された突起１２５と略Ｕ字状部１２２の固定端に形成された突起１２４とが、互いに金属板の打ち抜き時に形成される破断面同士で接触するため、接触信頼性が低い。接触信頼性の低い接触子１２０を、充電器に内蔵された電力用コネクタに設けられたコンタクトのような電流値の大きな電力用のコンタクトに適用することは、耐久性の観点から好ましくない。
【０００８】
また、図１１に示す接触子１２０において、ばね性を有する部分は略Ｕ字状部１２２のみであり、ばね長が短く、接触子１２０の耐久性に疑問が残る。
従って、本発明はこれら従来の問題点に鑑みてなされたものであり、その目的は、ばね長を長くして耐久性を向上させると共に電気経路長を短くするためのコンタクト同士の接触に際し接触信頼性を高くすることが可能なコンタクトを有する、回路基板と相手接続部材とを相互接続する電気コネクタを提供することにある。
【０００９】
【課題を解決するための手段】
上記問題を解決するため、本発明に係る電気コネクタは、絶縁性のハウジングと、該ハウジングに取り付けられ、回路基板に接続されるとともに相手接続部材に接触するコンタクトとを具備した電気コネクタにおいて、前記コンタクトは、金属板を打ち抜き及び曲げ加工することにより形成されると共に、２個の正湾曲部と該２個の正湾曲部を連結する１個の逆湾曲部とを有し、前記相手接続部材が前記コンタクトに接触した際に、前記逆湾曲部の両端部のロール面同士が接触することを特徴としている。
【００１０】
この電気コネクタによれば、コンタクトが２個の正湾曲部と該２個の正湾曲部を連結する１個の逆湾曲部とを有することから、ばね長が長く、コンタクトの耐久性が向上する。また、相手接続部材がコンタクトに接触すると、逆湾曲部の両端部のロール面同士が接触して短絡し、これにより、逆湾曲部の両端部間の経路が短経路で電気的に接続され、コンタクトにおける電気経路長、すなわち、相手接続部材が接触するコンタクトの部分から回路基板が接続されるコンタクトの部分に至るまでの長さが短くなる。そして、ロール面同士が接触することから、電気経路長を短くするためのコンタクト同士の接触に際し接触信頼性を高くすることが可能となる。このため、充電器側の回路基板と携帯電話機側に設けられたバッテリパックとを電気的に相互接続するための電力用コネクタに好適なものとすることができる。
【００１１】
【発明の実施の形態】
次に本発明の実施形態を図面を参照して説明する。図１は本発明に係る電気コネクタの第１実施形態を、充電器側の回路基板と携帯電話機側に設けられたバッテリパックとを電気的に相互接続するための電力用コネクタに適用した例の斜視図である。図２は図１の電力用コネクタを示し、（Ａ）は平面図、（Ｂ）は正面図、（Ｃ）は底面図である。図３は図１の電力用コネクタの左側面図である。図４は図２（Ｂ）における４−４線に沿う断面図である。図５は図１の電力用コネクタに使用されるコンタクトの斜視図である。図６はバッテリパックとの接続作用の説明図である。
【００１２】
図１に示す電力用コネクタ（以下、単にコネクタという。）１は、図６に示すように、充電器側の回路基板ＰＣＢと、携帯電話機側のバッテリパック（相手接続部材）Ｂとを電気的に相互接続するものであり、回路基板ＰＣＢ上に実装された絶縁性のハウジング１０と、このハウジング１０に取り付けられた複数（本実施形態にあっては２個）のコンタクト２０とを具備している。
【００１３】
このうち、ハウジング１０は、前面１０ａ、後面１０ｂ、両側面１０ｃ、頂面１０ｄ、及び底面１０ｅを有する略直方体状に形成され、ＰＢＴ等の絶縁性樹脂を成形することによって形成されている。ハウジング１０には、コンタクト２０を収容する複数（本実施形態にあっては２個）のコンタクト収容孔１１が所定ピッチで形成されている。各コンタクト収容孔１１は、ハウジング１０の頂面１０ｄ及び底面１０ｅを貫通するように形成されている。また、ハウジング１０の前壁の下端部には、各コンタクト収容孔１１とハウジング１０の前面１０ａを貫通するとともに底面１０ｅに開口した複数の脚部挿通用凹部１２が形成されている。また、各コンタクト収容孔１１の両側壁の下端部には、コンタクト２０の下方への移動及び前後方向への移動を規制するための１対の取付板部１３が突出形成されている。さらに、各コンタクト収容孔１１の前壁内面の脚部挿通用凹部１２の上方部には、脚部挿通用凹部１２の上面１４とともにコンタクト２０の上方への移動を規制するための突出部１５が突出形成されている。また、各コンタクト収容孔１１の前壁内面の上端部には、コンタクト２０の後述する突出部２９Ａｂ，２９Ｂｂの上方への移動を規制するストッパ１６が突出形成されている。
【００１４】
一方、各コンタクト２０は、図５に示すように、基部２１と、基板接続脚部２５と、第１正湾曲部２６と、逆湾曲部２７と、第２正湾曲部２８とを備え、金属板を打ち抜き及び曲げ加工することにより形成されている。第１正湾曲部２６及び第２正湾曲部２８が略同一方向に湾曲し、逆湾曲部２７は第１正湾曲部２６及び第２正湾曲部２８と反対方向に湾曲している。
【００１５】
ここで、基部２１は、図２、図４、及び図５に示すように、コンタクト収容孔１１の両側壁に形成された１対の取付板部１３を跨ぐような寸法の平板状に形成されている。基部２１は、コンタクト２０がコンタクト収容孔１１内に収容されたときに、１対の取付板部１３上に位置し、コンタクト２０の下方への移動が取付板部１３により規制される。そして、基部２１の中央部には、逆湾曲部２７の幅よりも大きな幅を有する第１開口部２４が形成されている。また、基部２１の両側縁前端部には１対の前側ストッパ２２が下方に向けて突出形成され、基部２１の両側縁後端部には１対の後側ストッパ２３が下方に向けて突出形成されている。前側ストッパ２２は、コンタクト２０がコンタクト収容孔１１内に収容されたときに、取付板部１３の前方に位置しコンタクト２０の後方への移動を規制する。後側ストッパ２３は、コンタクト２０がコンタクト収容孔１１内に収容されたときに、取付板部１３の後方に位置しコンタクト２０の前方への移動を規制する。
【００１６】
また、基板接続脚部２５は、基部２１よりも細い幅で基部２１の前縁から前方に延びる肩部２５ａと、肩部２５ａより下方に折り曲げられてから再度前方に向けて折り曲げられた接続部２５ｂとを備えている。接続部２５ｂは、図６に示すように、回路基板ＰＣＢ上に半田接続されようになっている。そして、肩部２５ａは、接続部２５ｂが回路基板ＰＣＢ上に半田接続された際に、脚部挿通用凹部１２の上面１４に当接し、コンタクト２０の上方への移動が規制されるようになっている。また、接続部２５ｂが回路基板ＰＣＢ上に半田接続された際には、突出部１５も基部２１の上面に当接し、コンタクト２０の上方への移動が規制されるようになっている。
【００１７】
さらに、第１正湾曲部２６は、基部２１よりも細い幅で基部２１の後縁から一旦後方に向けて延びると共に前方斜め上方に向けて湾曲して構成されている。
逆湾曲部２７は、一端部２７ａで第１正湾曲部２６に連結されるとともに他端部２７ｂで第２湾曲部２８に連結されている。逆湾曲部２７は、第１湾曲部２６の先端から第１湾曲部２６と同一幅で一端部２７ａを介して一旦前方斜め下方に向けて湾曲し、さらに、弧を描くように前方に延びつつ上方に向けて湾曲する第１弧部２７ｃを有する。逆湾曲部２７は、さらに、第１弧部２７ｃの端部から上方に向けて直線状に延びる第１直線状部２７ｄと、第１直線状部２７ｄの端部から弧を描くように後方に延びつつ下方に向けて湾曲する第２弧部２７ｅと、第２弧部２７ｅの端部から直線状に且つ幅が拡大しながら後方斜め下方に向けて延びて他端部２７ｂに至る第２直線状部２７ｆとを備えている。逆湾曲部２７の一端部２７ａと他端部２７ｂとは、ロール面同士で対向している。
【００１８】
また、第２正湾曲部２８は、側面から見て逆湾曲部２７の他端部２７ｂから湾曲し第２直線状部２７ｆに対して略平行となるように前方斜め上方に向けて延びている。第２正湾曲部２８は、図２（Ｃ）及び図５に最もよく示すように、逆湾曲部２７の他端部２７ｂから基部２１の幅と略同一幅に至るまで徐々に幅が広くなるように形成されている。
【００１９】
第２正湾曲部２８には、幅方向においてスリット２８ａが形成され、そのスリット２８ａの両側に第１板ばね部２９Ａ及び第２板ばね部２９Ｂが形成されている。スリット２８ａは、第１板ばね部２９Ａの板幅と第２板ばね部２９Ｂの板幅とが異なるように、第２正湾曲部２８の幅方向において中心よりややずれた位置に設けられている。そして、第１板ばね部２９Ａ及び第２板ばね部２９Ｂは、逆湾曲部２７の第２直線状部２７ｆに対して略平行に延びるとともに、それぞれ頂点２９Ａａ，２９Ｂａを介して前方斜め下方に向けて湾曲して構成される。スリット２８ａの先端側には、スリット２８ａよりも幅の広い第２開口部２８ｂがスリット２８ａに連続して形成されている。第２開口部２８ｂの幅は、逆湾曲部２７の幅よりも大きい。また、第１板ばね部２９Ａ及び第２板ばね部２９Ｂのそれぞれの先端には、内側に向けて突出する突出部２９Ａｂ，２９Ｂｂが形成されている。
【００２０】
コンタクト２０をコンタクト収容孔１１内に収容すると、第１正湾曲部２６、逆湾曲部２７、及び第２湾曲部２８はコンタクト収容孔１１内に位置し、第１板ばね部２９Ａ及び第２板ばね部２９Ｂの頂点２９Ａａ，２９Ｂａはハウジング１０の頂面１０ｄから突出する。そして、これら頂点２９Ａａ，２９Ｂａには、上方から携帯電話機側のバッテリパックＢの導体部が接触可能となる。また、突出部２９Ａｂ，２９Ｂｂは、コンタクト２０をコンタクト収容孔１１内に収容した際に、コンタクト収容孔１１に設けられたストッパ１６の下方に位置し、突出部２９Ａｂ，２９Ｂｂの上方への移動がストッパ１６により規制されるようになっている。
【００２１】
次に、図６を参照してバッテリパックとの接続作用について説明する。
図６（Ａ）に示すように、バッテリパックＢが接続されない状態では、各コンタクト２０の第１板ばね部２９Ａ及び第２板ばね部２９Ｂは自由状態にあり、それらの頂点２９Ａａ，２９Ｂａがハウジング１０の頂面１０ｄから大きく突出している。また、逆湾曲部２７の一端部２７ａと他端部２７ｂとは離れている。
【００２２】
そして、バッテリパックＢを充電するときには、図６（Ｂ）に示すように、バッテリパックＢの導体部を各コンタクト２０の頂点２９Ａａ，２９Ｂａに接触させ、それら頂点２９Ａａ，２９Ｂａを下方に押圧する。すると、第１板ばね部２９Ａ及び第２板ばね部２９Ｂはそれらの先端近傍の湾曲面がハウジング１０の前壁内面に沿いつつ下方に撓み、これにより、第２正湾曲部２８も下方に撓み、逆湾曲部２７及び第１正湾曲部２６の一部も第１湾曲部２６の湾曲点近傍を中心として回動するように下方に撓む。これにより、逆湾曲部２７の一端部２７ａと他端部２７ｂとが摺動しながら接触し、バッテリパックＢの導体部と回路基板ＰＣＢとが電気的に相互接続される。一端部２７ａと他端部２７ｂとの接触においては、それらのロール面同士が接触して短絡し、これにより、逆湾曲部２７の両端部２７ａ，２７ｂ間の経路が短経路で電気的に接続され、コンタクト２０における電気経路長、すなわち、バッテリパックＢが接触する頂点２９Ａａ，２９Ｂａから回路基板ＰＣＢが接続される基板接続脚部２５に至るまでの長さが短くなる。このため、コンタクト２０における導体抵抗値を小さくすることができる。そして、逆湾曲部２７の両端部２７ａ，２７ｂのロール面同士が摺動しながら接触することから接圧も増大するので、電気経路長を短くするためのコンタクト同士の接触に際し接触信頼性を高くすることができる。このため、充電器側の回路基板ＰＣＢと携帯電話機側に設けられたバッテリパックＢとを電気的に相互接続するための電力用コネクタ１に好適なものとすることができる。
【００２３】
また、各コンタクト２０は、２個の正湾曲部２６，２８と２個の正湾曲部２６，２８を連結する１個の逆湾曲部２７とを有することから、ばね長が長く、コンタクト２０の耐久性を向上させることができると共に、コネクタを比較的低背にしながら接点２９Ａａ，２９Ｂａのストローク（垂直方向に沿った変位量）を大きくとれる。
【００２４】
また、第１板ばね部２９Ａ及び第２板ばね部２９Ｂが下方に撓んだときには、図６（Ｂ）に示すように、逆湾曲部２７の一部が第１板ばね部２９Ａ及び第２板ばね部２９Ｂ間の第２開口部２８ｂ内に位置し、第１板ばね部２９Ａ及び第２板ばね部２９Ｂと逆湾曲部２７との干渉が回避される。また、頂点２９Ａａ，２９Ｂａが下方に押圧されることによって逆湾曲部２７が下方に撓んだときには、逆湾曲部２７の一部が基部２１の第１開口部２４内に位置し、逆湾曲部２７と基部２１との干渉が回避される。
【００２５】
さらに、第１板ばね部２９Ａの板幅と第２板ばね部２９Ｂの板幅とが異なるので、それら第１板ばね部２９Ａのばね定数と第２板ばね部２９Ｂのばね定数が異なり、バッテリパックＢが頂点２９Ａａ，２９Ｂａに接触している最中での瞬断を防止することができる。
次に、本発明に係る電気コネクタの第２実施形態を図７乃至図１０を参照して説明する。
【００２６】
図７は本発明に係る電気コネクタの第２実施形態を、充電器側の回路基板と携帯電話機側に設けられたバッテリパックとを電気的に相互接続するための電力用コネクタに適用した例の斜視図である。図８は図７の電力用コネクタを示し、（Ａ）は平面図、（Ｂ）は正面図、（Ｃ）は底面図である。図９は図１の電力用コネクタの左側面図である。図１０は図８（Ｂ）における１０−１０線に沿う断面図である。
【００２７】
図７に示す電力用コネクタ（以下、単にコネクタという。）５１は、図１に示すコネクタと同様に、充電器側の回路基板（図示せず）と、携帯電話機側のバッテリパック（図示せず）とを電気的に相互接続するものであり、回路基板上に実装された絶縁性のハウジング６０と、このハウジング６０に取り付けられた複数（本実施形態にあっては２個）のコンタクト７０とを具備している。
【００２８】
このうち、ハウジング６０は、前面６０ａ、後面６０ｂ、両側面６０ｃ、頂面６０ｄ、及び底面６０ｅを有する略直方体状に形成され、ＰＢＴ等の絶縁性樹脂を成形することによって形成されている。ハウジング６０には、コンタクト７０を収容する複数（本実施形態にあっては２個）のコンタクト収容孔６１が所定ピッチで形成されている。各コンタクト収容孔６１は、ハウジング６０の頂面６０ｄ及び底面６０ｅを貫通するように形成されている。また、ハウジング６０の前壁の下端部には、各コンタクト収容孔６１とハウジング６０の前面６０ａを貫通するとともに底面６０ｅに開口した複数の脚部挿通用凹部６２が形成されている。また、各コンタクト収容孔６１の両側壁の下端部には、コンタクト７０の下方への移動を規制するための１対の取付板部６３が突出形成されている。さらに、各コンタクト収容孔６１の前壁内面には、脚部挿通用凹部６２の上面６４とともにコンタクト７０の上方への移動を規制するための１対の突出壁６５が突出形成されている。また、各コンタクト収容孔６１の前壁内面の１対の突出壁６５間は、コンタクト７０を収容した際に、後述する逆湾曲部７４の第１直線状部７４ｄの前面に当接して逆湾曲部７４の前方への移動を規制するストッパ面６７を構成している。一方、各コンタクト収容孔６１の後壁内面には、コンタクト７０を収容した際に、後述する第２正湾曲部７５の後面に当接して第２正湾曲部７５の後方への移動を規制する傾斜ストッパ面６８が設けられている。また、各コンタクト収容孔６１の両側壁には、コンタクト７０を収容した際に、後述するコンタクト７０の先端両側部に設けられた突出部７６Ａｃ，７６Ｂｃが入り込んで先端の前後方向及び上方向への移動範囲を規制する１対の凹部６６が設けられている。
【００２９】
一方、各コンタクト７０は、図１０に示すように、基部７１と、基板接続脚部７２と、第１正湾曲部７３と、逆湾曲部７４と、第２正湾曲部７５とを備え、金属板を打ち抜き及び曲げ加工することにより形成されている。第１正湾曲部７３及び第２正湾曲部７５が略同一方向に湾曲し、逆湾曲部７４は第１正湾曲部７３及び第２正湾曲部７５と反対方向に湾曲している。
【００３０】
ここで、基部７１は、図８（Ｃ）に最もよく示すように、コンタクト収容孔６１の両側壁に形成された１対の取付板部６３を跨ぐような寸法の平板状に形成されている。基部７１は、コンタクト７０がコンタクト収容孔６１内に収容されたときに、１対の取付板部６３上に位置し、コンタクト７０の下方への移動が取付板部６３により規制される。そして、基部７１の中央部には、逆湾曲部７４の幅よりも大きな幅を有する第１開口部７７が形成されている。
【００３１】
また、基板接続脚部７２は、基部７１よりも細い幅で基部７１の前縁から前方に延びる肩部７２ａと、肩部７２ａより下方に折り曲げられてから再度前方に向けて折り曲げられた接続部７２ｂとを備えている。接続部７２ｂは、回路基板上に半田接続されようになっている。そして、肩部７２ａは、接続部７２ｂが回路基板上に半田接続された際に、脚部挿通用凹部６２の上面６４に当接し、コンタクト７０の上方への移動が規制されるようになっている。また、接続部７２ｂが回路基板上に半田接続された際には、突出壁６５も基部７１の上面に当接し、コンタクト７０の上方への移動が規制されるようになっている。
【００３２】
さらに、第１正湾曲部７３は、基部７１よりも細い幅で基部７１の後縁から一旦後方に向けて延びると共に前方斜め上方に向けて湾曲して構成されている。
逆湾曲部７４は、一端部７４ａで第１正湾曲部７３に連結されるとともに他端部７４ｂで第２湾曲部７５に連結されている。逆湾曲部７４は、第１湾曲部７３の先端から第１湾曲部７３と同一幅で一端部７４ａを介して一旦前方斜め下方に向けて湾曲し、さらに、弧を描くように前方に延びつつ上方に向けて湾曲する第１弧部７４ｃを有する。逆湾曲部７４は、さらに、第１弧部７４ｃの端部から上方に向けて直線状に延びる第１直線状部７４ｄと、第１直線状部７４ｄの端部から弧を描くように後方に延びつつ下方に向けて湾曲する第２弧部７４ｅと、第２弧部７４ｅの端部から直線状に且つ幅が拡大しながら後方斜め下方に向けて延びて他端部７４ｂに至る第２直線状部７４ｆとを備えている。逆湾曲部７４の一端部７４ａと他端部７４ｂとは、ロール面同士で対向している。
【００３３】
また、第２正湾曲部７５は、側面から見て逆湾曲部７４の他端部７４ｂから湾曲し第２直線状部７４ｆに対して略平行となるように前方斜め上方に向けて延びている。第２正湾曲部７５は、図８（Ｃ）に最もよく示すように、逆湾曲部７４の他端部７４ｂから徐々に幅が広くなるように形成されている。
第２正湾曲部７５には、幅方向においてスリット７５ａが形成され、そのスリット７５ａの両側に第１板ばね部７６Ａ及び第２板ばね部７６Ｂが形成されている。スリット７５ａは、第１板ばね部７６Ａの板幅と第２板ばね部７６Ｂの板幅とが異なるように、第２正湾曲部７５の幅方向において中心よりややずれた位置に設けられている。そして、第１板ばね部７６Ａ及び第２板ばね部７６Ｂは、逆湾曲部７４の第２直線状部７４ｆに対して略平行に延びるとともに、それぞれ頂点７６Ａａ，７６Ｂａを介して前方斜め下方に向けて湾曲して構成される。頂点７６Ａａ，７６Ｂａは、バッテリパックとの接圧が大きくなるように上に凸の湾曲面の頂上にある。スリット７５ａの先端側には、スリット７５ａよりも幅の広い第２開口部７５ｂがスリット７５ａに連続して形成されている。また、第１板ばね部７６Ａ及び第２板ばね部７６Ｂのそれぞれの先端には、図１０に示すように、下方に向けて延びる先端部７６Ａｂ，７６Ｂｂが形成され、各先端部７６Ａｂ，７６Ｂｂの外側側壁には、図８（Ａ）に示すように、外側に向けて延びる突出部７６Ａｃ，７６Ｂｃが形成されている。
【００３４】
コンタクト７０をコンタクト収容孔６１内に収容すると、第１正湾曲部７３、逆湾曲部７４、及び第２湾曲部７５はコンタクト収容孔６１内に位置し、第１板ばね部７６Ａ及び第２板ばね部７６Ｂの頂点７６Ａａ，７６Ｂａはハウジング６０の頂面６０ｄから突出する。そして、コンタクト７０をコンタクト収容孔６１内に収容した際には、逆湾曲部７４の第１直線状部７４ｄの前面が各コンタクト収容孔６１のストッパ面６７に当接して逆湾曲部７４の前方への移動が規制され、第２正湾曲部７５の後面が各コンタクト収容孔６１の傾斜ストッパ面６８に当接して第２正湾曲部７５の後方への移動が規制される。また、コンタクト７０の突出部７６Ａｃ，７６Ｂｃが各コンタクト収容孔６１の両側壁に形成された凹部６６内に入り込んで先端部７６Ａｂ，７６Ｂｂの前後方向及び上方向への移動範囲が規制される。そして、コンタクト７０の頂点７６Ａａ，７６Ｂａには、上方から携帯電話機側のバッテリパックの導体部が接触可能となる。
【００３５】
そして、バッテリパックが接続されない状態では、図１０に示すように、各コンタクト７０の第１板ばね部７６Ａ及び第２板ばね部７６Ｂは自由状態にあり、それらの頂点７６Ａａ，７６Ｂａがハウジング６０の頂面６０ｄから大きく突出している。また、逆湾曲部７４の一端部７４ａと他端部７４ｂとは離れている。そして、バッテリパックを充電するときには、バッテリパックの導体部を各コンタクト７０の頂点７６Ａａ，７６Ｂａに接触させ、それら頂点７６Ａａ，７６Ｂａを下方に押圧する。すると、第１板ばね部７６Ａ及び第２板ばね部７６Ｂは、それらの先端部７６Ａｂ，７６Ｂｂに形成された突出部７６Ａｃ，７６Ｂｃが凹部６６内を下方に移動しつつ下方に撓み、これにより、第２正湾曲部７５も下方に撓み、逆湾曲部７４及び第１正湾曲部７３の一部も下方に撓む。これにより、逆湾曲部７４の一端部７４ａと他端部７４ｂとが摺動しながら接触し、バッテリパックの導体部と回路基板とが電気的に相互接続される。ここで、突出部７６Ａｃ，７６Ｂｃの移動範囲は凹部６６内に規制されるので、第１板ばね部７６Ａ及び第２板ばね部７６Ｂに斜め後方且つ下方（図１０におけるｘ方向）からの荷重がかかっても、逆湾曲部７４の一端部７４ａと他端部７４ｂとは確実に接触することになる。また、第２湾曲部７５が下方に撓むときに第２正湾曲部７５の後面が各コンタクト収容孔６１の傾斜ストッパ面６８に摺動しつつ第２正湾曲部７５の後方への移動が規制されるので、逆湾曲部７４の一端部７４ａと他端部７４ｂとはより確実に接触することになる。一端部７４ａと他端部７４ｂとの接触においては、それらのロール面同士が接触して短絡し、これにより、逆湾曲部７４の両端部７４ａ，７４ｂ間の経路が短経路で電気的に接続され、コンタクト７０における電気経路長、すなわち、バッテリパックが接触する頂点７６Ａａ，７６Ｂａから回路基板が接続される基板接続脚部７２に至るまでの長さが短くなる。このため、コンタクト７０における導体抵抗値を小さくすることができる。そして、逆湾曲部７４の両端部７４ａ，７４ｂのロール面同士が摺動しながら接触することから接圧も増大するので、電気経路長を短くするためのコンタクト同士の接触に際し接触信頼性を高くすることができる。このため、充電器側の回路基板と携帯電話機側に設けられたバッテリパックとを電気的に相互接続するための電力用コネクタに好適なものとすることができる。
【００３６】
また、各コンタクト７０は、２個の正湾曲部７３，７５と２個の正湾曲部７３，７５を連結する１個の逆湾曲部７４とを有することから、ばね長が長く、コンタクト７０の耐久性を向上させることができると共に、コネクタを比較的低背にしながら接点７６Ａａ，７６Ｂａのストローク（垂直方向に沿った変位量）を大きくとれる。
【００３７】
また、第１板ばね部７６Ａ及び第２板ばね部７６Ｂが下方に撓んだときには、逆湾曲部７４の一部が第１板ばね部７６Ａ及び第２板ばね部７６Ｂ間の第２開口部７６ｂ内に位置し、第１板ばね部７６Ａ及び第２板ばね部７６Ｂと逆湾曲部７４との干渉が回避される。また、頂点７６Ａａ，７６Ｂａが下方に押圧されることによって逆湾曲部７４が下方に撓んだときには、逆湾曲部７４の一部が基部７１の第１開口部７７内に位置し、逆湾曲部７４と基部７１との干渉が回避される。
【００３８】
さらに、第１板ばね部７６Ａの板幅と第２板ばね部７６Ｂの板幅とが異なるので、それら第１板ばね部７６Ａのばね定数と第２板ばね部７６Ｂのばね定数が異なり、バッテリパックＢが頂点７６Ａａ，７６Ｂａに接触している最中での瞬断を防止することができる。
以上、本発明の実施形態について説明してきたが、本発明はこれに限定されず、種々の変更を行うことができる。
【００３９】
例えば、回路基板と相手接続部材とを電気的に相互接続できる電気コネクタであれば、充電器側の回路基板ＰＣＢと携帯電話機側に設けられたバッテリパックＢとを電気的に相互接続するための電力用コネクタ１以外に適用してもよい。
また、第１正湾曲部２６，７３、逆湾曲部２７，７４、第２正湾曲部２８，７５、及び第１板ばね部２９Ａ，７６Ａ、第２板ばね部２９Ｂ，７６Ｂの板幅は、所望のばね定数を得るために適宜変更することができる。
【００４０】
【発明の効果】
以上説明したように、本発明に係る電気コネクタはによれば、コンタクトが２個の正湾曲部と該２個の正湾曲部を連結する１個の逆湾曲部とを有することから、ばね長が長く、コンタクトの耐久性を向上させることができる。そして、コンタクトが、金属板を打ち抜き及び曲げ加工することにより形成されると共に、相手接続部材がコンタクトに接触した際に、前記逆湾曲部の両端部のロール面同士が接触するので、電気経路長を短くするためのコンタクト同士の接触に際し接触信頼性を高くすることが可能となる。このため、充電器側の回路基板と携帯電話機側に設けられたバッテリパックとを電気的に相互接続するための電力用コネクタに好適なものとすることができる。
【図面の簡単な説明】
【図１】本発明に係る電気コネクタの第１実施形態を、充電器側の回路基板と携帯電話機側に設けられたバッテリパックとを電気的に相互接続するための電力用コネクタに適用した例の斜視図である。
【図２】図１の電力用コネクタを示し、（Ａ）は平面図、（Ｂ）は正面図、（Ｃ）は底面図である。
【図３】図１の電力用コネクタの左側面図である。
【図４】図２（Ｂ）における４−４線に沿う断面図である。
【図５】電力用コネクタに使用されるコンタクトの斜視図である。
【図６】バッテリパックとの接続作用の説明図である。
【図７】本発明に係る電気コネクタの第２実施形態を、充電器側の回路基板と携帯電話機側に設けられたバッテリパックとを電気的に相互接続するための電力用コネクタに適用した例の斜視図である。
【図８】図７の電力用コネクタを示し、（Ａ）は平面図、（Ｂ）は正面図、（Ｃ）は底面図である。
【図９】図７の電力用コネクタの左側面図である。
【図１０】図８（Ｂ）における１０−１０線に沿う断面図である。
【図１１】従来例の電気コネクタの断面図である。
【符号の説明】
１，５１  電力用コネクタ（電気コネクタ）
１０，６０  ハウジング
ＰＣＢ  回路基板
Ｂ  バッテリパック（相手接続部材）
２０，７０  コンタクト
２６，７３  第１正湾曲部
２７，７４  逆湾曲部
２７ａ，７４ａ  逆湾曲部の一端部
２７ｂ，７４ｂ  逆湾曲部の他端部
２８，７５  第２正湾曲部
【図１】
2004207165.tif 000003
【図２】
2004207165.tif 000004
【図３】
2004207165.tif 000005
【図４】
2004207165.tif 000006
【図５】
2004207165.tif 000007
【図６】
2004207165.tif 000008
【図７】
2004207165.tif 000009
【図８】
2004207165.tif 000010
【図９】
2004207165.tif 000011
【図１０】
2004207165.tif 000012
【図１１】
2004207165.tif 000013